(57)【特許請求の範囲】
【請求項１】
レンズを保持するレンズ保持枠と、
前記レンズ保持枠を支持する枠支持部と、
前記レンズ保持枠および前記枠支持部の一方に配され、前記レンズの光軸方向に関する厚さが当該レンズの周方向に沿って変化するテーパ部と、
前記レンズ保持枠および前記枠支持部の他方と前記テーパ部との間に挟まれ、前記テーパ部に沿って摺動する摺動コマと
前記テーパ部の延在方向に沿って配されつつ前記テーパ部を貫通する長穴と、
前記長穴に挿通されて、前記レンズ保持枠または前記枠支持部の前記一方と前記摺動コマとを結合する結合ネジと
を備え、前記レンズ保持枠は、前記テーパ部および前記摺動コマを介して前記枠支持部から支持されるレンズ鏡筒。
【請求項２】
請求項１に記載のレンズ鏡筒であって、
前記テーパ部は、前記厚さが連続的に変化することを特徴とするレンズ鏡筒。
【請求項３】
請求項１または請求項２に記載のレンズ鏡筒であって、
前記レンズ保持枠および前記枠支持部の前記一方は、前記レンズの周方向に沿って配された円弧状の一対のテーパ部を有して、
前記レンズ保持枠は、前記一対のテーパ部の各々に配された一対の前記摺動コマと、前記一対のテーパ部とは異なる他の一点とにおいて、前記枠支持部に対して位置決めされる
ことを特徴とするレンズ鏡筒。
【請求項４】
請求項３に記載のレンズ鏡筒であって、
前記一対のテーパ部は、レンズ保持枠が保持するレンズの周方向に沿って同じ方向に向かって前記厚さが増加することを特徴とするレンズ鏡筒。
【請求項５】
請求項１から請求項４までのいずれか一項に記載のレンズ鏡筒であって、
前記レンズ保持枠および前記枠支持部は、前記レンズの周方向について前記テーパ部の両端近傍に配された結合部材により相互に結合されることを特徴とするレンズ鏡筒。
【請求項６】
請求項１から請求項５までのいずれか一項に記載のレンズ鏡筒であって、
前記テーパ部は、前記レンズ保持枠に配されることを特徴とするレンズ鏡筒。
【請求項７】
請求項１から請求項６までのいずれか一項に記載のレンズ鏡筒であって、
前記レンズ保持枠および前記枠支持部の前記他方と前記摺動コマとの間に挟まれるスペーサを更に有することを特徴とするレンズ鏡筒。
【請求項８】
請求項１から請求項７までのいずれか一項に記載のレンズ鏡筒であって、
前記レンズ保持枠および前記枠支持部は、互いに相補的な形状を有して嵌合する位置決め部を含み、
前記位置決め部は、前記光軸の周りの回転に対して非対称な形状または配置を有する
ことを特徴とするレンズ鏡筒。
【請求項９】
請求項１から請求項８までのいずれか一項に記載のレンズ鏡筒であって、
前記摺動コマは、前記テーパ部の側面に沿って延在して、前記テーパ部の側方に回り込んで、前記摺動コマが前記テーパ部の側方にずれることを防止する被案内部を有することを特徴とするレンズ鏡筒。
【請求項１０】
請求項１から請求項９までのいずれか一項に記載のレンズ鏡筒であって、
前記摺動コマは、前記レンズ保持枠および前記枠支持部に挟まれた場合に露出する側面に、前記摺動コマを変位させる場合の手掛かりとなるハンドルピンを挿入する穴を有する
ことを特徴とするレンズ鏡筒。
【請求項１１】
請求項１から請求項１０までのいずれか一項に記載のレンズ鏡筒と、
前記レンズ鏡筒により結ばれた画像を撮像する撮像部と
を備える撮像装置。
【発明の詳細な説明】
【技術分野】
【０００１】
本発明は、レンズ鏡筒および撮像装置に関する。
【背景技術】
【０００２】
光学機器に光学部品を取りつける工程では、当該光学部品の光軸の傾き（チルト）を調整する作業も含まれる。このため、光学部品の取り付け構造には、光学部品の光軸の傾きを変化させ得る調整機構が含まれる場合がある。特許文献１には、スプリングにより付勢された光学部材を当該付勢に抗しつつ支持する枠を、ネジ等により変位させる構造が記載されている。
【先行技術文献】
【特許文献】
【０００３】
【特許文献１】特開２００３−２７９８２３号公報
【発明の概要】
【発明が解決しようとする課題】
【０００４】
例えばレンズ交換式撮像装置で用いられるレンズ鏡筒の製造では、個々の光学部品の光軸合わせに加えて、複数の光学部品を含む光学系全体の光軸を調整することが求められる。このため、調整作業が容易であって、尚且つ、調整後に固定された光学系に対する支持剛性が高い調整機構が求められる。
【課題を解決するための手段】
【０００５】
そこで、本発明の第一態様として、レンズ（Ｌ１、Ｌ２、Ｌ３、Ｌ４、Ｌ５、Ｌ６）を保持するレンズ保持枠（１４１、１４２、１４３、１４４、１４５、１４６）と、レンズ保持枠を支持する枠支持部（１８０）と、レンズ保持枠および枠支持部の一方に配され、レンズの光軸（Ｘ）方向に関する厚さが当該レンズの周方向に沿って変化するテーパ部（１８２）と、レンズ保持枠および枠支持部の他方とテーパ部との間に挟まれ、テーパ部に沿って摺動する摺動コマ（１７０）とを備え、レンズ保持枠は、テーパ部および摺動コマを介して枠支持部から支持されるレンズ鏡筒（１００）が提供される。
【０００６】
また、本発明の第二態様として、上記レンズ鏡筒と、レンズ鏡筒により結ばれた画像を撮像する撮像部（２００）とを備える撮像装置（３００）が提供される。
【図面の簡単な説明】
【０００７】
【図１】交換レンズ１００の斜視図である。
【図２】カメラボディ２００の斜視図である。
【図３】カメラシステム３００の断面図である。
【図４】調整機構４００の分解斜視図である。
【図５】調整機構４００の視点を変えた分解斜視図である。
【図６】スライドシム１７０の斜視図である。
【図７】固定されたスライドシム１７０の断面図である。
【図８】調整機構４０１の分解斜視図である。
【図９】調整機構４０１の視点を変えた分解斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、交換レンズ１００の斜視図である。図示の状態では、交換レンズ１００の後端が見えている。交換レンズ１００がカメラボディに取りつけられる場合は、図示した交換レンズ１００後端がカメラボディに係合する。なお、交換レンズ１００の光学系の光軸Ｘを点線により図中に示す。
【００１０】
交換レンズ１００は、固定筒１１０、ピントリング１２０およびズームリング１３０を有する。固定筒１１０は、カメラボディ等に対して固定され、ピントリング１２０、ズームリング１３０等の可動部分を支持する。
【００１１】
ピントリング１２０は、固定筒１１０の周面に沿って回転させることができる。ピントリング１２０を回転させた場合、交換レンズ１００の焦点位置が変化する。
【００１２】
ズームリング１３０は、固定筒１１０の周面に沿って回転させることができる。ズームリング１３０を回転させた場合、交換レンズ１００の倍率（焦点距離）が変化する。
【００１３】
交換レンズ１００の後端面には、マウントリング１６０およびマウント爪１６２が配される。マウントリング１６０およびマウント爪１６２は一体的な部品である場合もある。マウントリング１６０は、係止穴１６４を有する。
【００１４】
マウントリング１６０は、交換レンズ１００の光学系の光軸Ｘと直行する平坦な環状面を有する。交換レンズ１００をカメラボディに取りつけた場合、マウントリング１６０はカメラボディ側のマウントリングと密接する。これにより、交換レンズ１００の光学系の光軸Ｘは、カメラボディに対して位置決めされる。換言すれば、交換レンズ１００を製造する場合は、光学系の光軸Ｘとマウントリング１６０とが正確に直交するように調整することが求められる。
【００１５】
マウント爪１６２は円弧状の形状をなして、交換レンズ１００の径方向外側に突出する。マウント爪１６２は、交換レンズ１００をカメラボディにとり付けた場合に、カメラボディ側のマウント爪と係合して交換レンズ１００の脱落を防止する。
【００１６】
交換レンズ１００周面の後端付近には挿し込み指標１６８が配される。挿し込み指標１６８は、交換レンズ１００をカメラボディに装着する場合に位置合わせの目印となる。
【００１７】
図２は、カメラボディ２００の斜視図である。カメラボディ２００は、筐体２０１と、その前面に配されたマウントリング２６０とを有する。
【００１８】
マウントリング２６０は、中心に開口を有する環状の平坦面と、その内側に配された円弧状のマウント爪２６２とを有する。マウント爪２６２は、マウントリング２６０の径方向内側に突出して、交換レンズ１００をカメラボディ２００に取りつけた場合に、交換レンズ１００側のマウント爪１６２と係合する。
【００１９】
また、マウントリング２６０には、係止ピン２６４が配される。係止ピン２６４は、マウントリング２６０の平坦面から突出して、交換レンズ１００が取りつけられた場合に係止穴１６４と嵌合して、交換レンズ１００の光軸Ｘ回りの回転を係止する。
【００２０】
係止ピン２６４は、解除ボタン２６６が押された場合に筐体２０１の内部に向かって沈み込み、係止穴１６４から抜ける。これにより、交換レンズ１００に対する係止が解除される。
【００２１】
更に、マウントリング２６０近傍において、筐体２０１表面には挿し込み指標２６８が配される。挿し込み指標２６８は、交換レンズ１００をカメラボディ２００に装着する場合に、交換レンズ１００側の挿し込み指標１６８と位置合わせする基準となる。
【００２２】
上記のカメラボディ２００に対して、交換レンズ１００は以下の手順で取付られる。まず、交換レンズ１００およびカメラボディ２００のマウントリング１６０、２６０を対向させた状態で、交換レンズ１００の挿し込み指標１６８を、カメラボディ２００の挿し込み指標２６８に合わせる。
【００２３】
これにより、交換レンズ１００側のマウント爪１６２とカメラボディ２００側のマウント爪２６２とが互いに相補的な位置関係になる。従って、交換レンズ１００の後端をマウントリング２６０の開口に挿し込んだ場合に、交換レンズ１００側のマウント爪１６２が、カメラボディ２００側のマウント爪２６２の間を通過して、マウントリング２６０の裏面側まで入り込む。
【００２４】
続いて、交換レンズ１００を、その光軸Ｘの回りに時計方向に回転させると、交換レンズ１００側のマウント爪１６２が、カメラボディ２００側のマウント爪２６２の裏側に入り込み両者は係合する。これにより、交換レンズ１００およびカメラボディ２００は相互に係合する。
【００２５】
なお、少なくとも一方のマウント爪１６２、２６２には、マウント爪１６２、２６２の厚さ方向に付勢された板バネを有する。これにより、マウントリング１６０、２６０は相互に密接して、交換レンズ１００がカメラボディ２００に対して位置決めされる。
【００２６】
カメラボディ２００に差し込まれた交換レンズ１００が回されて、マウント爪１６２、２６２が完全に係合する位置まで交換レンズ１００が回転すると、係止ピン２６４が係止穴１６４に入り込む。これにより交換レンズ１００の回転が係止される。よって、解除ボタン２６６を押し込まない限り、交換レンズ１００が脱落することはない。
【００２７】
なお、カメラボディ２００のマウントリング２６０に装着される機材は交換レンズ１００に限られない。例えは、中間リング、変換アダプタ等が取り付けられる場合もある。これらの機材も、カメラボディ２００に対して光軸が位置合わせされることが好ましい。
【００２８】
図３は、カメラシステム３００の断面図である。カメラシステム３００は、カメラボディ２００と、カメラボディ２００に取り付けられた交換レンズ１００とを含む。この図において、図１および図２と共通の要素には同じ参照番号を付して重複する説明を省く。
【００２９】
交換レンズ１００は、複数のレンズＬ１、Ｌ２、Ｌ３、Ｌ４、Ｌ５、Ｌ６と、レンズＬ１〜Ｌ６を個別に支持するレンズ枠１４１、１４２、１４３、１４４、１４５、１４６とを有する。ひとつのレンズ枠１４３は、レンズＬ３と共に、絞り装置２２２も併せて保持する。レンズ枠１４１〜１４６の各々は、固定筒１１０の内側に形成された固定内筒１１２から、光軸Ｘ方向に移動可能に支持される。
【００３０】
また、レンズＬ１〜Ｌ６は、共通の光軸Ｘ上に配列され、全体としてひとつの光学系をなす。交換レンズ１００においてピントリング１２０またはズームリングが回された場合、レンズ枠１４１〜１４６のいずれかが、固定筒１１０に対して光軸方向Ｘに移動して、光学系全体の焦点位置および焦点距離を変化させる。
【００３１】
更に、交換レンズ１００において、マウントリング１６０は、固定内筒１１２の後端にマウント固定ネジ１９８により固定される。マウントリング１６０は、既に説明したように、カメラボディ２００のマウントリング２６０に密着する。
【００３２】
カメラボディ２００は、主鏡２４０、ペンタプリズム２７０、ファインダ光学系２９０を含む光学系と、主制御部２５０とを収容する。主鏡２４０は、交換レンズ１００の光学系を介して入射した入射光の光路上に傾斜して配置される待機位置と、入射光を避けて上昇する撮影位置（図中に点線で示す）との間を移動する。
【００３３】
待機位置にある主鏡２４０は、入射光の大半を、上方に配置されたフォーカシングスクリーン２７２に導く。フォーカシングスクリーン２７２は、交換レンズ１００の光学系が合焦した場合に像を結ぶ位置に配置され、当該像を可視化する。
【００３４】
フォーカシングスクリーン２７２に結像された画像は、ペンタプリズム２７０を介してファインダ光学系２９０から観察される。これにより、ファインダ光学系２９０からは、フォーカシングスクリーン２７２上の映像を正像として見ることができる。
【００３５】
ペンタプリズム２７０およびファインダ光学系２９０の間にはハーフミラー２９２が配置される。ハーフミラー２９２は、ファインダＬＣＤ２９４に形成された表示画像を、フォーカシングスクリーン２７２の映像に重畳させる。これにより、ファインダ光学系２９０の出射端において、フォーカシングスクリーン２７２の映像と、ファインダＬＣＤ２９４の映像とを併せて見ることができる。なお、ファインダＬＣＤ２９４には、カメラシステム３００の撮影条件、設定条件等の情報が表示される。
【００３６】
また、ペンタプリズム２７０の出射光の一部は、測光部２８０に導かれる。測光部２８０は、入射光の強度およびその分布等を測定して、撮影条件を決定する場合に測定結果を参照させる。
【００３７】
一方、入射光の入射面に対する主鏡２４０の裏面には、副鏡２４２が配置される。副鏡２４２は、主鏡２４０を透過した入射光の一部を、下方に配置された焦点検出部２３０に導く。これにより、主鏡２４０が待機位置にある場合は、焦点検出部２３０が光学系の焦点調整状態を検出する。なお、主鏡２４０が撮影位置に移動した場合は、副鏡２４２も入射光の光路から退避する。
【００３８】
交換レンズ１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００３９】
また、カメラボディ２００は、交換レンズ１００に対して背面において、外部に面したメインＬＣＤ２９６を備える。メインＬＣＤ２９６は、カメラボディ２００に対する各種の設定情報を表示する他、主鏡２４０が撮影位置に移動している場合に撮像素子２１０に形成された画像を表示することもできる。
【００４０】
主制御部２５０は、上記のような種々の動作を総合的に制御する。カメラボディ２００は、図示していない接点を介して、交換レンズ１００に電気的に接続されている。
【００４１】
これにより、主制御部２５０は、焦点検出部２３０が検出した被写体までの距離の情報を参照して交換レンズ１００を駆動するオートフォーカス機構を形成する。また、主制御部２５０は、測光部２８０の測定結果を参照して、シャッタ２２０の開放時間と、絞り装置２２２の開度も制御する。
【００４２】
図４は、調整機構４００の分解斜視図である。調整機構４００は、交換レンズ１００に設けられて、交換レンズ１００におけるマウントリング１６０に対する光軸Ｘの傾き（チルト）を調整する。なお、図４に光学系は記載されていないが、説明の便宜を図って、図中に光軸Ｘを示す。
【００４３】
調整機構４００は、一対のスライドシム１７０と１枚のテーパリング１８０とを含む。テーパリング１８０は、固定内筒１１２の後端に装着される。スライドシム１７０は、固定内筒１１２の後端に形成されたフランジ部１１４と、テーパリング１８０との間に挟まれる。
【００４４】
固定内筒１１２は、その後端側に、径方向外側に向かって延在するフランジ部１１４を有する。フランジ部１１４には、フランジ部１１４の後面から更に後方に向かって延在する位置決め部１１６、マウンド部１１８等を有する。また、マウンド部１１８には、フランジ部１１４の前面まで貫通するネジ穴１１９を有する。これら、位置決め部１１６、マウンド部１１８、ネジ穴１１９については、図５を参照して後述する。
【００４５】
テーパリング１８０は、フランジ部１１４の外径と略同じ外径を有する。また、テーパリング１８０は、固定内筒１１２の内径と略同じ内径を有する。
【００４６】
また、テーパリング１８０は、位置決め部１１６と相補的な形状および配置を有する切欠き部１８８を有する。これにより、テーパリング１８０を固定内筒１１２の後端に装着した場合に、位置決め部１１６と切欠き部１８８とが嵌合して、テーパリング１８０が位置決めされる。
【００４７】
テーパリング１８０の固定内筒１１２に対向する面には、それぞれ一対のテーパ部１８２、長穴１８４、案内溝１８６および当接部１８１が配される。テーパ部１８２は、テーパリング１８０の形状に倣った円弧状の領域に形成され、一端において厚く、他端において薄い。
【００４８】
テーパ部１８２において厚い部分は、テーパリング１８０から、固定内筒１１２に向かって突出する。テーパ部１８２において薄い部分は、テーパリング１８０のテーパ部１８２以外の部分と同じ厚さになる。これらテーパ部１８２の両端の間には、一定の傾斜を有する斜面が形成される。
【００４９】
図示の例では、左右のテーパ部１８２の平面形状は、テーパリング１８０において左右対称になる。一方、テーパ部１８２の厚さについては、図中左側のテーパ部１８２は、上端が厚く、下端が薄い。図中右側のテーパ部１８２は、下端が厚く、上端が薄い。しかしながら、テーパリング１８０の周方向に、同じ方向に傾斜するテーパ部１８２を形成してもよい。
【００５０】
長穴１８４は、テーパ部１８２の幅方向中央に、テーパ部１８２の長手方向に延在する。長穴１８４には、それぞれシム固定ネジ１９４が挿通される。シム固定ネジ１９４のそれぞれは、固定内筒１１２側に向かって突出する先端を有する。
【００５１】
案内溝１８６は、テーパ部１８２のそれぞれに沿って、それぞれ一対配される。案内溝１８６のそれぞれは、一定の幅と深さを有して、テーパリング１８０から陥没して形成される。
【００５２】
一対の当接部１８１は、テーパリング１８０の図中下端近傍に配され、固定内筒１１２に向かって突出する。一対の当接部１８１は、リング固定ネジ１９２のうちのひとつを挟んで対称に配される。
【００５３】
なお、テーパリング１８０は、テーパ部１８２以外の領域において、複数のリング固定ネジ１９２に貫通される。リング固定ネジ１９２は、固定内筒１１２側に向かって突出する先端を有する。
【００５４】
スライドシム１７０は、テーパ面１７２、被案内部１７６を有する。テーパ面１７２は、テーパ部１８２と相補的な形状を有する。被案内部１７６は、スライドシム１７０の幅方向についてテーパ面１７２の両側部で、テーパ面１７２から立ち上がる。
【００５５】
また、スライドシム１７０は、背面に当接突起１７８を、側面外側にレバー穴１７４を有する。レバー穴１７４には、着脱自在なレバー１７７の一端が挿入される。スライドシム１７０の詳細な構造については、図６を参照して後述する。
【００５６】
図５は、調整機構４００の視点を変えた分解斜視図である。図４と共通の部材には同じ参照番号を付して重複する説明を省く。
【００５７】
テーパリング１８０の背面には、リング固定ネジ１９２の頭と、シム固定ネジ１９４の頭とが見えている。スライドシム１７０のそれぞれにおいては、テーパ面１７２の中央に、ネジ穴１７１の一端が開口する。
【００５８】
固定内筒１１２のフランジ部１１４には、複数の位置決め部１１６とマウンド部１１８とが、図中で左右対称に配される。位置決め部１１６は、固定内筒１１２の後端面から大きく突出する。位置決め部１１６の端面には、ネジ穴１１７がそれぞれ配される。マウンド部１１８のそれぞれは、位置決め部１１６よりも低く、固定内筒１１２の後端面から僅かに突出する。マウンド部１１８の端面には、ネジ穴１１９がそれぞれ配される。
【００５９】
位置決め部１１６は、テーパリング１８０の切欠き部１８８と相補的な位置に配される。従って、テーパリング１８０を、固定内筒１１２の後端面に固定した場合、位置決め部１１６は、切欠き部１８８に入り込んで、テーパリング１８０の固定内筒１１２に対する位置を決める。
【００６０】
テーパリング１８０が固定内筒１１２の後端面に固定された場合、マウンド部１１８の各々は、位置決め部１１６および切欠き部１８８の近傍において、テーパリング１８０に対面する。従って、テーパリング１８０を貫通するリング固定ネジ１９２をネジ穴１１９に螺入することにより、位置決め精度を維持しつつ、固定内筒１１２およびテーパリング１８０を一体化する。
【００６１】
ここで、マウンド部１１８のネジ穴１１９は、テーパリング１８０の周方向について、テーパ部１８２を挟んでそれぞれ一対配される。これにより、後述するように、テーパ部１８２上のスライドシム１７０を挟んでテーパリング１８０をフランジ部１１４に固定した場合に、テーパリング１８０の位置決めが安定する。
【００６２】
スライドシム１７０の各々は、テーパリング１８０のテーパ部１８２と、固定内筒１１２のフランジ部１１４との間に挟まれる。このとき、長穴１８４に挿通されたシム固定ネジ１９４を、ネジ穴１７１に螺入することにより、スライドシム１７０を、テーパリング１８０に対して固定できる。なお、位置決め部１１６先端のネジ穴１１７には、マウントリング１６０を固定するマウント固定ネジ１９８の先端が螺入される。
【００６３】
図６は、スライドシム１７０を単独で示す斜視図である。既に説明した通り、スライドシム１７０は、テーパ面１７２、被案内部１７６を有する。
【００６４】
テーパ面１７２は、テーパ部１８２と相補的な形状を有して、長手方向に沿って、スライドシム１７０の厚さが変化する傾斜を有する。テーパ面１７２の傾斜は、テーパリング１８０のテーパ部１８２の傾きと等しい。これにより、テーパ部１８２にスライドシム１７０を載せた場合、スライドシム１７０の背面１７９は、テーパリング１８０のテーパ部１８２以外の部分と平行になる。
【００６５】
図７は、フランジ部１１４およびテーパリング１８０の間に固定されたスライドシム１７０の断面図である。図４、図５および図６と共通の要素には同じ参照番号を付して重複する説明を省く。
【００６６】
テーパリング１８０のテーパ部１８２に載せられた場合、スライドシム１７０のテーパ面１７２は、テーパ部１８２の表面に密着する。スライドシム１７０の一対の被案内部１７６は、テーパ面１７２の両側において、テーパ面１７２から突出するように立ち上がり、テーパ部１８２の側方に回り込む。これにより、スライドシム１７０がテーパ部１８２から側方にずれることが防止される。なお、被案内部１７６の幅は、テーパリング１８０の案内溝１８６の幅よりも狭い。
【００６７】
また、スライドシム１７０が、テーパ部１８２の薄い部分に載せられた場合は、被案内部１７６が案内溝１８６に入り込む。これにより、スライドシム１７０のテーパ面１７２が、テーパ部１８２から浮き上がることが防止される。
【００６８】
スライドシム１７０が、テーパリング１８０およびフランジ部１１４に挟まれた場合、スライドシム１７０の背面は、当接突起１７８によりフランジ部１１４に当接する。従って、後述するように、テーパリング１８０および固定内筒１１２の相対角度が変化した場合であっても、スライドシム１７０およびフランジ部１１４の間にガタが生じることはない。
【００６９】
更に、スライドシム１７０は、長穴１８４に挿通されたシム固定ネジ１９４をネジ穴１７１にねじ込むことにより、テーパ部１８２の任意の位置で、テーパ部１８２に対して固定できる。従って、スライドシム１７０の各々をテーパ部１８２に沿って移動させることにより、フランジ部１１４およびテーパリング１８０の間隔を個別に変化させることができる。
【００７０】
なお、スライドシム１７０がフランジ部１１４およびテーパリング１８０に挟まれた状態であっても、レバー穴１７４にレバー１７７を差し込むことにより、スライドシム１７０を移動させることができる。従って、既に組み立てられた交換レンズ１００においても、光軸Ｘの傾きを調整することができる。
【００７１】
再び図４を参照すると、テーパリング１８０の下端近傍には、一対の当接部１８１が配される。テーパリング１８０がフランジ部１１４に対して取りつけられた場合、当接部１８１は、フランジ部１１４に当接して、フランジ部１１４およびテーパリング１８０の間隔を決定する。当接部１８１のテーパリング１８０に対する高さは一定なので、当接部１８１が配されたテーパリング１８０下端近傍では、フランジ部１１４およびテーパリング１８０の間隔は一定になる。
【００７２】
一方、テーパ部１８２が配された領域では、テーパリング１８０はフランジ部１１４に直接には当接せずに、テーパ部１８２上のスライドシム１７０とフランジ部１１４とが当接する。従って、フランジ部１１４およびテーパリング１８０の位置関係は、１箇所の当接部１８１と、一対のスライドシム１７０との３点により決定される。
【００７３】
ここで、フランジ部１１４がスライドシム１７０に当接する領域では、フランジ部１１４およびテーパリング１８０の間隔が、スライドシム１７０の位置におけるテーパ部１８２の厚さにより変化する。換言すれば、一対のスライドシム１７０を個別に移動させることにより、スライドシム１７０に当接する位置におけるフランジ部１１４およびテーパリング１８０の間隔を変化させることができる。
【００７４】
調整機構４００では、一対のスライドシム１７０を個別に移動させることができる。よって、フランジ部１１４およびテーパリング１８０の周上の２箇所で間隔を変化させることにより、テーパリング１８０に対するフランジ部１１４の角度を変化させることができる。従って、例えば、マウントリング１６０をテーパリング１８０に対して一定の角度で装着できる構造としておくことにより、レンズＬ１〜Ｌ６による光学系全体の光軸Ｘをマウントリング１６０に対して調節できる。あるいは、テーパリング１８０とマウントリング１６０とを一体の部材としてもよい。
【００７５】
なお、上記の例では、マウントリング１６０側の部材であるテーパリング１８０にテーパ部１８２を設けた。しかしながら、固定内筒１１２側にテーパを設けても同じ調節機能を実現できる。また、テーパ部１８２の傾斜は一定であるとは限らず、また更に、テーパ部１８２の厚さは段階的に変化してもよい。
【００７６】
更に、上記の例では、テーパリング１８０の表面から隆起したテーパ部１８２を形成したが、テーパリング１８０の表面から陥没した斜面を形成することによりテーパ部１８２を形成することもできる。この場合は、案内溝１８６に換えて、テーパ部１８２に沿って隆起した案内リブを設けてもよい。
【００７７】
また更に、上記の例では、位置決め部１１６、ネジ穴１１９等を、図中で左右対称に配置した。しかしながら、各部の配置および形状を非対称にすることにより、各部材の取り付け位置および取り付け方向を誤ることが防止される。
【００７８】
図８は、他の構造を有する調整機構４０１の分解斜視図である。また図９は、視点を変えた調整機構４０１の分解斜視図である。
【００７９】
調整機構４０１は、以下に説明する部分を除くと、調整機構４０１は、図４から図７までに示した調整機構４００と共通の構造を有する。従って、共通の要素には同じ参照番号を付して重複する説明を省く。
【００８０】
調整機構４０１は、スライドシム１７０を固定されたテーパリング１８０と、フランジ部１１４との間に挟まれたワッシャ１９６を有する。ワッシャ１９６は、固定内筒１１２およびテーパリング１８０の内径と同じ内径を有する。また、ワッシャ１９６は、固定内筒１１２およびテーパリング１８０の外径と同じ外径を有する。
【００８１】
更に、ワッシャ１９６は、フランジ部１１４の端面に配された位置決め部１１６およびマウンド部１１８との干渉を避ける切欠き部１９７を有する。これにより、ワッシャ１９６は、スライドシム１７０およびテーパリング１８０により調整された光軸Ｘの傾きに影響を与えることなく、スライドシム１７０およびテーパリング１８０とフランジ部１１４との間に挟むことができる。従って、厚さが異なる複数のワッシャ１９６を用意して交換することにより、テーパリング１８０に対する固定内筒１１２の光軸Ｘ方向の間隔を変更することができる。
【００８２】
なお、光軸Ｘを調整された後のスライドシム１７０は、シム固定ネジ１９４によりテーパリング１８０に対して固定されている。よって、ワッシャ１９６を交換する場合に、調整された光軸Ｘの傾きが変化することはない。
【００８３】
また、図９に示すように、スライドシム１７０のテーパ面１７２にも摺動突起１７５を配してもよい。これにより、テーパ部１８２に対するスライドシム１７０の固着を防止すると共に、テーパ部１８２およびスライドシム１７０のガタを防止できる。
【００８４】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８５】
１００  交換レンズ、１１０  固定筒、１１２  固定内筒、１１４  フランジ部、１１６  位置決め部、１１７、１１９、１７１  ネジ穴、１１８  マウンド部、１２０  ピントリング、１３０  ズームリング、１４１、１４２、１４３、１４４、１４５、１４６  レンズ枠、１６０、２６０  マウントリング、１６２、２６２  マウント爪、１６４  係止穴、１６８、２６８  挿し込み指標、１７０  スライドシム、１７２  テーパ面、１７４  レバー穴、１７５  摺動突起、１７６  被案内部、１７７  レバー、１７８  当接突起、１７９  背面、１８０  テーパリング、１８１  当接部、１８２  テーパ部、１８４  長穴、１８６  案内溝、１８８、１９７  切欠き部、１９２  リング固定ネジ、１９４  シム固定ネジ、１９６  ワッシャ、１９８  マウント固定ネジ、２００  カメラボディ、２０１  筐体、２１０  撮像素子、２１２  光学フィルタ、２２０  シャッタ、２２２  絞り装置、２３０  焦点検出部、２４０  主鏡、２４２  副鏡、２５０  主制御部、２６４  係止ピン、２６６  解除ボタン、２７０  ペンタプリズム、２７２  フォーカシングスクリーン、２８０  測光部、２９０  ファインダ光学系、２９２  ハーフミラー、２９４  ファインダＬＣＤ、２９６  メインＬＣＤ、３００  カメラシステム、４００、４０１  調整機構
【図１】
0005515664.tif 000002
【図２】
0005515664.tif 000003
【図３】
0005515664.tif 000004
【図４】
0005515664.tif 000005
【図５】
0005515664.tif 000006
【図６】
0005515664.tif 000007
【図７】
0005515664.tif 000008
【図８】
0005515664.tif 000009
【図９】
0005515664.tif 000010